(57)【要約】      （修正有）【課題】特定のグループに属する各チャンネルの音信号のみを混合するためのバスを用意する設定を、手間をかけず簡単に行えるようにする。【解決手段】音処理装置１０は、第１バス１１、第２バス１２と、音信号を第１ゲインでレベル制御し第１バス１１へ送出する第１乗算器１４及び音信号を第２ゲインでレベル制御し第２バス１２へ送出する第２乗算器１５を有する複数のチャンネル１３と、各チャンネルにパラメータを供給する供給部１８を備える。供給部１８は、グループ化指示に応じて、複数チャンネルの一部からなるグループを形成し、グループ動作を行わせるグループ設定処理１６と、一括設定指示に応じて、或るグループに属するチャンネルの第２ゲインを、そのチャンネルの第１ゲインと同じ値に設定し、且つ、そのグループに属さない各チャンネルの第２ゲインをミュートに設定する一括設定処理１７を実行する。【選択図】図１
2018117245.tif 000002
【特許請求の範囲】
【請求項１】
音信号を混合する第１バスと、
音信号を混合する第２バスと、
それぞれ、調整パラメータに従って１つの音信号の特性を制御する第１特性制御部、特性制御後の音信号を、第１ゲインに従ってレベル制御して前記第１バスへ送出する第１乗算器、及び、特性制御後の音信号を、第２ゲインに従ってレベル制御して前記第２バスに送出する第２乗算器を有する複数のチャンネルと、
ユーザによる各種指示に応じて、各チャンネルに前記調整パラメータ、第１ゲイン、第２ゲインを含む複数パラメータを個別に供給する供給部であって、前記複数のチャンネルの一部からなる１つのグループが形成されたとき、そのグループに属する各チャンネルの少なくとも１つのパラメータを一括で制御し、また、一括設定指示に応じて、前記グループに属する各チャンネルの前記第２ゲインを、そのチャンネルの第１ゲインと同じ値に設定し、且つ、前記グループに属さない各チャンネルの前記第２ゲインをミュート値に一括で設定する前記供給部と
を備える音処理装置。
【請求項２】
前記第２バスの混合信号の特性を制御する第２特性制御部と、特性制御後の音信号を、第３ゲインに従ってレベル制御して前記第１バスに送出する第３乗算器を有するバスチャンネルを更に有し、
前記供給部は、前記一括設定指示に応じて、更に、前記グループに属する各チャンネルの前記第１ゲインを一括でミュート値に設定し、且つ、前記第３ゲインを非ミュート値に設定することを特徴とする請求項１に記載の音処理装置。
【請求項３】
前記一括設定指示に応じた前記一括設定後に、前記グループに属するチャンネルの前記第１ゲインの値を一括で変更する指示がされたとき、前記供給部は、各チャンネルの第１ゲインの値を変更する代わりに前記バスチャンネルの第３ゲインの値を変更する
ことを特徴とする請求項２に記載の音処理装置。
【請求項４】
前記グループが形成されたとき、前記供給部は、前記グループのレベル変更指示に応じて、前記グループに属する各チャンネルの前記第１ゲインを、一括で変更する、請求項１乃至３の何れかに記載の音処理装置。
【請求項５】
前記グループが形成されたとき、前記供給部は、前記グループのミュートオン／オフ操作に応じて、前記グループに属する各チャンネルの前記第１ゲインを、一括でミュート値又は非ミュート値に設定する動作である、請求項１乃至３の何れかに記載の音処理装置。
【請求項６】
音信号を混合する第１バスと、音信号を混合する第２バスと、それぞれ１つの音信号を処理する複数のチャンネルを備える音処理装置において、該音処理装置のコントローラが実行するパラメータ設定方法であって、前記チャンネルは、それぞれ、調整パラメータに従って１つの音信号の特性を制御する第１特性制御部、特性制御後の音信号を第１ゲインに従って前記前記第１バスへ送出する第１乗算器、及び、特性制御後の音信号を第２ゲインに従って前記第２バスに送出する第２乗算器を有しており、
ユーザによるグループ化指示に応じて、前記複数のチャンネルの一部からなる１つのグループを定義し、そのグループに属するチャンネルに所定のグループ動作をさせるグループ設定手順と、
ユーザによる一括設定指示に応じて、前記グループに属する各チャンネルの前記第２ゲインを、そのチャンネルの第１ゲインと同じ値に設定し、且つ、前記グループに属さない各チャンネルの前記第２ゲインをミュート値に設定する一括設定手順と
を備える方法。
【発明の詳細な説明】
【技術分野】
【０００１】
この発明は、例えばオーディオミキサなどに用いて好適な音処理装置及び方法に関する。
【０００２】
オーディオミキサ（以下、「ミキサ」とも言う）は、基本的には、複数の入力チャンネル（以下、「ｃｈ」と略記する）それぞれにて、入力された音信号の各種特性制御やレベル調整等の信号処理を施し、処理後の音信号を主出力系の主バスにて混合し、その混合音信号を主バスに対応する主バスｃｈにて信号処理して、処理後の音信号をメインスピーカ等の出力先に出力するように構成される。
【０００３】
従来のミキサにおいて、複数の入力ｃｈをグループにまとめて、該グループに属する各入力ｃｈの１以上のパラメータを、１つの操作子で制御するグループ機能がある。例えばＤＣＡグループでは、ユーザが１つのＤＣＡフェーダを操作することにより、ＤＣＡグループに属する複数の各入力ｃｈのレベルを、各入力ｃｈ間のレベル差を保ったまま、調整できる。この機能は、例えば、１組のドラムセットのレベルを調整する場合等に便利である。グループ機能には、レベルを制御するＤＣＡグループ機能の他にも、ミュートオン／オフを制御するミュートグループ機能や、或いは、例えばヘッドアンプ、イコライザ、コンプレッサなどの複数のパラメータの所望の一部を操作するｃｈリンク機能など様々な種類がある（例えば、下記の非特許文献１、及び、非特許文献２を参照）。
【０００４】
しかし、従来のグループ機能は、あくまで、１つの操作子により、特定のグループに属する各入力ｃｈのパラメータを制御するものである。従って、従来のグループ機能では、１つのグループの音信号の混合音信号（言い換えればグループ化された複数の音信号の和の音信号）に対して、イコライザ、コンプレッサ、リバーブ、空間定位制御等の信号処理を施すことはできなかった。なお、レベル制御やオンオフ制御程度の軽い処理であれば、各入力ｃｈの既存の乗算器リソースで音信号を処理して主バスで混合することで、主バス以外のバスの信号に影響することなく実現可能だが、ここに例示した信号処理（所定信号処理）は、主バス以外のバスに影響を与えずに、各入力ｃｈのリソースを用いて処理できない。
【０００５】
従来の技術において、１つのグループの音信号の全体に対して信号処理を施すには、煩雑な設定が必要だった。具体的には、先ず、或るグループに属する各入力ｃｈから主バスへの音信号送出をオフにして、次に、該グループに属する各入力ｃｈの音信号を混合するバスを用意して、該各入力ｃｈからそのバスへの音信号の送出をオンにして、そして、そのバスに対応するバスｃｈから主バスへの音信号の送出をオンにする。このような煩雑な作業を経て、ようやく、或るグループに属する各入力ｃｈの音信号の混合音信号に対する各種信号処理を、用意されたバスに対応するバスｃｈにて施すことができるように設定される。また、この設定をした後に、前記「混合音信号に対する信号処理」を止めて、そのバス及びバスｃｈを別の目的で使いたい場合には、前記の作業とは逆の作業、すなわち、バスｃｈからステレオバスへの音信号の送出をオフにし、そのグループに属する各入力ｃｈからそのバスへの音信号の送出をオフにして、各入力ｃｈからステレオバスへの音信号の送出をオンにする、という作業が必要である。
【先行技術文献】
【非特許文献】
【０００６】
【非特許文献１】“ＤＩＧＩＴＡＬ ＭＩＸＩＮＧ ＣＯＮＳＯＬＥ Ｍ７ＣＬ  Ｖｅｒｓｉｏｎ３    Ｍ７ＣＬ‐３２／Ｍ７ＣＬ‐４８／Ｍ７ＣＬ‐４８ＥＳ取扱説明書”、［online］、２０１４年５月、ヤマハ株式会社［平成２８年８月２９日検索］、インターネット〈URL：http://download.yamaha.com/api/asset/file/?language=en&site=ae.yamaha.com&asset_id=47575〉
【非特許文献２】“ＤＩＧＩＴＡＬ ＭＩＸＩＮＧ ＣＯＮＳＯＬＥ ＬＳ９ ＬＳ９−１６/ＬＳ９−３２取扱説明書”、［online］、２０１２年、ヤマハ株式会社［平成２８年８月２９日検索］、インターネット〈URL：http://download.yamaha.com/api/asset/file?language=ja&site=countrysite-master.prod.wsys.yamaha.com&asset_id=58273〉
【発明の概要】
【発明が解決しようとする課題】
【０００７】
この発明は、上述の点に鑑みてなされたもので、所定信号処理のため、主バスで混合されている複数チャンネルの音信号のうち、特定のグループに属する複数チャンネルの音信号のみを、主バスから取り出し、別のバスにおいて同じ混合レベルで混合する設定を、手間をかけず簡単に行えるようにした音処理装置及び方法を提供することを目的とする。
【課題を解決するための手段】
【０００８】
この発明は、音信号を混合する第１バスと、音信号を混合する第２バスと、それぞれ、調整パラメータに従って１つの音信号の特性を制御する第１特性制御部、特性制御後の音信号を、第１ゲインに従ってレベル制御して前記第１バスへ送出する第１乗算器、及び、特性制御後の音信号を、第２ゲインに従ってレベル制御して前記第２バスに送出する第２乗算器を有する複数のチャンネルと、ユーザによる各種指示に応じて、各チャンネルに前記調整パラメータ、第１ゲイン、第２ゲインを含む複数パラメータを個別に供給する供給部であって、前記複数のチャンネルの一部からなる１つのグループが形成されたとき、そのグループに属する各チャンネルの少なくとも１つのパラメータを一括で制御し、また、一括設定指示に応じて、前記グループに属する各チャンネルの前記第２ゲインを、そのチャンネルの第１ゲインと同じ値に設定し、且つ、前記グループに属さない各チャンネルの前記第２ゲインをミュート値に一括で設定する前記供給部とを備える音処理装置である。
【０００９】
この発明によれば、特定のグループに属する各チャンネルの第２ゲインに、該各チャンネルの第１ゲインと同じ値を設定するので、そのグループに属する各チャンネルは、それぞれ前記第１バスへの音信号の送出と同じ状態で、処理後の音信号を前記第２バスに音信号を送ることができる。また、そのグループに属さない全てのチャンネルの第２ゲインがミュートに設定される。従って、第２バスでは、グループに属する各チャンネルの音信号のみを混合することができる。
【００１０】
また、この発明は、装置の発明として構成及び実施し得るのみならず、前記装置を構成する各構成要素を備える方法の発明として実施及び構成されてよい。
【発明の効果】
【００１１】
この発明によれば、所定信号処理のため、主バスで混合されている複数チャンネルの音信号のうち、特定のグループに属する各チャンネルの音信号のみを、別のバスにおいて同じ混合レベルで混合する設定を、手間をかけず簡単に行うことできる、という優れた効果を奏する。
【図面の簡単な説明】
【００１２】
【図１】この発明に係る音処理装置の構成例を示す概念的ブロック図。
【図２】図１の音処理装置を適用したオーディオミキサの電気的ハードウェア構成例を示すブロック図。
【図３】オーディオミキサの操作パネルの構成例を示す図。
【図４】オーディオミキサの信号処理例を説明するブロック図。
【図５】（ａ）は入力チャンネルの詳細な構成例、（ｂ）はバスチャンネルの詳細な構成例を説明するブロック図。
【図６】この実施例に係る第１〜第４ゲインについて説明する図。
【図７】入力チャンネルをグループに追加する処理例を示すフローチャート。
【図８】入力チャンネルをグループから外す処理例を示すフローチャート。
【図９】チャンネルのフェーダ操作に応じた処理例を示すフローチャート。
【図１０】グループのフェーダ操作に応じた処理例を示すフローチャート。
【図１１】グループの一括設定指示に応じた処理例を示すフローチャート。
【図１２】特殊モードにあるグループのフェーダ操作に応じた処理例を示すフローチャート。
【図１３】グループのミュート反転操作に応じた処理例を示すフローチャート。
【図１４】特殊モードにあるグループのミュート反転操作に応じた処理例を示すフローチャート。
【図１５】チャンネルのエンコーダ操作に応じた処理例を示すフローチャート。
【発明を実施するための形態】
【００１３】
以下、添付図面を参照して、この発明の一実施形態について詳細に説明する。
【００１４】
図１は、この発明に係る音処理装置の構成例を説明する概念的ブロック図である。図１において、音処理装置１０は、音信号を混合する第１バス１１と、音信号を混合する第２バス１２と、それぞれ、調整パラメータに従って１つの音信号の特性を制御する特性制御部１３０と、特性制御後の音信号を、第１ゲインに従ってレベル制御して第１バス１１へ送出する第１乗算器１４、及び、特性制御後の音信号を、第２ゲインに従ってレベル制御して第２バス１２に送出する第２乗算器１５とを有する複数のチャンネル（「ｃｈ」と略記）１３と、複数のチャンネルにパラメータを供給する供給部１８とを備えており、供給部１８は、ユーザによるグループ化指示に応じて、複数のｃｈ１３の一部からなる１つのグループを形成し、そのグループに属するｃｈに所定のグループ動作をさせるグループ設定処理１６と、ユーザによる一括設定指示に応じて、そのグループに属する各ｃｈ１３の第２乗算器１５の第２ゲインを、そのｃｈの第１乗算器１４の第１ゲインと同じ値に設定し、且つ、そのグループに属さない各ｃｈ１３の第２乗算器１５の第２ゲインをミュート値に設定する一括設定処理１７とを実行する。
【００１５】
図１の音処理装置１０によれば、一括設定処理１７により供給部１８が、特定のグループに属する各ｃｈ１３の第２ゲイン１５に、該各ｃｈ１３の第１ゲイン１４と同じ値を設定し、また、そのグループに属さない全てのｃｈ１３の第２ゲイン１５がミュートに設定することにより、第１バス１１に音信号を供給していた複数ｃｈ１３のうち、特定のグループに属する各ｃｈ１３の音信号のみが第２バス１２に送出されるようになる。このとき、そのグループに属する各ｃｈ１３の音信号は、それぞれ、一括設定前の第１バス１１への送出と同じレベルで、第２バス１２に送出される。すなわち、一括設定処理１７で供給部１８は、特定のグループに属さない各ｃｈ１３の音信号を第１バス１１に送出し、特定のグループに属する各ｃｈ１３の音信号を第１バス１１とは別の第２バス１２に送出する設定を、全てのｃｈ１３に対して一括して行う（後述のステップＳ１３及びＳ１４の動作）。一括設定後、第２バス１２は、特定のグループに属する各ｃｈ１３の音信号のみを混合する。従って、ユーザは、第２バス１２に対応するバスｃｈ１９を用いて、第２バス１２での混合音信号（すなわち、特定のグループに属する各ｃｈ１３の音信号の和）に対して、イコライザなどの所定信号処理を施すことができる（後述のステップＳ１７、Ｓ２４、Ｓ２５の動作）。
【００１６】
図１の音処理装置１０は、例えば、オーディオミキサ等の音信号を扱う音響機器に適用され得る。以下の一実施形態は、音処理装置１０をオーディオミキサ（以下単に「ミキサ」とも言う）に適用した例について説明する。ミキサ２０は、専らデジタル信号処理により音信号を処理するデジタルミキサとする。
【００１７】
図２は、ミキサ２０の電気的ハードウェア構成例を示すブロック図である。ミキサ２０は、ＣＰＵ（中央処理ユニット）２１、メモリ２２、ディスプレイ２３、操作子群２４、波形インタフェース（「波形Ｉ／Ｏ」）２５、信号処理部２６、及び、その他インタフェース（「その他Ｉ／Ｏ」）２７を含み、ＣＰＵ２１と各部２２〜２７が通信可能に接続される。
【００１８】
ＣＰＵ２１は、メモリ２２に記憶された各種のソフトウェアプログラムを実行して、ミキサ２０の全体動作を制御する。ＣＰＵ２１が、ミキサ２０（音処理装置１０）のコントローラである。後述の図７〜図１４の各処理は、ＣＰＵ２１により実行されるソフトウェアプログラムにより提供される。メモリ２２は、リードオンリーメモリ、ランダムアクセスメモリ、フラッシュメモリあるいはハードディスク等の各種メモリ装置を適宜組み合わせて構成される。メモリ２２は、ＣＰＵ２１が実行する各種のプログラムや各種のデータなどを不揮発に格納するほか、ＣＰＵ２１が実行するプログラムのロード領域やワーク領域に使用される。
【００１９】
ディスプレイ２３は、ＣＰＵ２１から与えられた表示制御信号に基づく各種情報を、各種画像や文字列等により表示するもので、例えば、指の接触による入力が可能なタッチパネルからなる。操作子群２４は、ミキサ２０の操作パネル上に配置された複数の操作子、及び、関連するインタフェース回路等である。ユーザは、操作子群２４の操作子を操作することにより、音信号の経路設定や各種パラメータの値の調整等を行う。ＣＰＵ２１は、ユーザによる操作子群２４又はディスプレイ２３での入力操作に応じて、ミキサ２０の各種動作を制御する。
【００２０】
ミキサ２０は、波形Ｉ／Ｏ２５の複数の入力ポートを介して、複数の音信号を図示外の外部機器から受け取り、また、波形Ｉ／Ｏ２５の複数の出力ポートを介して、複数の音信号を図示外の外部機器へ出力する。波形Ｉ／Ｏ２５は、アナログ‐デジタル変換器、デジタル‐アナログ変換器、及び、デジタル‐デジタル変換器を含む。
【００２１】
信号処理部２６は、例えばＤＳＰ（Digital Signal Processor）や、ＣＰＵ２１およびメモリ２２に記憶されたソフトウェアプログラムにより仮想的に実現された信号処理装置で構成される。信号処理部２６は、信号処理用のプログラムを実行することにより、波形Ｉ／Ｏ２５を介して外部から入力された１又は複数の音信号に対して信号処理を施し、該処理した音信号を、波形Ｉ／Ｏ２５を介して外部へ出力する。前記信号処理は、後述の図４〜図６に示す通り、ミキシング処理、特性制御処理、レベル制御処理等を含む。この信号処理は、メモリ２２に記憶された各種パラメータの値に基づいて制御される。
【００２２】
また、その他Ｉ／Ｏ２７はＵＳＢインタフェースなどを含み、ミキサ２０は、その他Ｉ／Ｏ２７を介して、パーソナルコンピュータ等の周辺機器等を接続できる。
【００２３】
図３は、ディスプレイ２３及び操作子群２４が配置された操作パネルの構成例を示す。操作パネルには、複数（例えば８本）のｃｈストリップ３０及び第１バスｃｈストリップ３１が備わる。各ｃｈストリップ３０、３１には、フェーダ３２、任意のパラメータを割当可能なエンコーダ３３、ＣＵＥキー３４、ｃｈオン／オフキー３５、及び、ＳＥＬキー３６が備わる。フェーダ３２は、例えば、つまみ部の位置をＣＰＵ２１により制御可能な電動フェーダからなる。
【００２４】
一例として、ミキサ２０は、ｃｈ番号１〜３２の３２の入力ｃｈを有している。「レイヤ１」キー４０、「レイヤ２」キー４１、「レイヤ３」キー４２及び「レイヤ４」キー４３は、８のｃｈストリップ３０に操作対象の８つの入力ｃｈを割り当てるためにユーザが操作するキーである。８のｃｈストリップ３０には、操作された１つのキー４０乃至４５に対応する１つのレイヤの８つのｃｈが割り当てられる。
【００２５】
ユーザの操作したキーに応じて、例えば、「レイヤ１」キー４０によりｃｈ番号１〜８の入力ｃｈが、また、「レイヤ２」キー４１によりｃｈ番号９〜１６の入力ｃｈが、また、「レイヤ３」キー４２によりｃｈ番号１７〜２４の入力ｃｈが、また、「レイヤ４」キー４３によりｃｈ番号２５〜３２の入力ｃｈが、８のｃｈストリップ３０に割り当てられる。また、マスタｃｈストリップ３１には、操作対象として、後述する第１バスｃｈ（図４の符号５４）が固定的に割り当てられる。
【００２６】
「ＤＣＡ」キー４４は、ＤＣＡレイヤの８つのＤＣＡグループを、各ｃｈストリップ３０に割り当てるためにユーザが操作する。各ＤＣＡグループは、複数の入力ｃｈが属するグループである。ＤＣＡグループが割り当てられているとき、ｃｈストリップ３０の操作子３２〜３６は、それぞれ割り当てられたＤＣＡグループに属する複数入力ｃｈのグループとしての制御に用いられる。なお、ＤＣＡは「Digital-Controlled Amplifier」の略である。
【００２７】
また、「マスタ」キー４５は、マスタレイヤの８つの出力ｃｈを各ｃｈストリップ３０に割り当てるためにユーザが操作する。
【００２８】
８つのバスキー（図において、「Ｂ１」〜「Ｂ８」）３７は、後述する第２バスｃｈ（図４の符号５５）の選択に用いられる。８つの表示キー（図において、「Ｄ１」〜「Ｄ８」）３８は、ディスプレイ２３に表示する画面の選択に用いられる。また、６つのユーザ定義キー（図において、「Ｕ１」〜「Ｕ６」）３９は、ユーザにより割り当てられた機能（例えば、シーン切り替えなど）の実行に用いられる。
【００２９】
図４は、図２のＣＰＵ２１、波形Ｉ／Ｏ２５、及び、信号処理部２６により実行される信号処理の一例を等価的に示すブロック図である。ミキサ２０は、複数（図の例では３２）の入力ｃｈ５１を備える。入力パッチ５０は、パッチパラメータに従い、複数の各入力ｃｈ５１に、複数の各入力ポートの受け取った音信号の何れかを供給する。各入力ｃｈ５１は、供給された音信号に対して特性制御や、レベル制御等の処理（後述図５参照）を施し、１又は複数のバス５２、５３に選択的に処理後の音信号を出力する。
【００３０】
ミキサ２０は、１つの第１バス５２（図１の符号１１に対応）と複数（例えば８本）の第２バス５３（図１の符号１２に対応）を備えている。簡単な例として、第１バス５２と各第２バス５３とは、それぞれ、１ｃｈ構成のモノラルバスである。
【００３１】
この実施例において、第１バス５２は、例えば、メインのスピーカなど主出力に送出する音信号を混合するために利用される。第２バス５３は、例えば、後述する一括設定処理において、１つのグループに属する複数の入力ｃｈの音信号を混合するためのバスとして利用される。第２バス５３は、常時存在するバスでもよいし、後述する一括設定処理で生成される、一時的なバスでもよい。
【００３２】
バス５２、５３は、それぞれ、供給された複数の音信号を混合し、バス５２、５３に対応する第１バスｃｈ５４及び第２バスｃｈ５５は、それぞれ、対応するバス５２、５３からの混合音信号に対して特性制御や、レベル制御等の処理（後述図５参照）を施す。出力パッチ５６は、パッチパラメータに従い、各出力ポートに、複数のバスｃｈ５４、５５で処理された複数の音信号の何れか１つを供給し、各出力ポートは供給された音信号を外部に出力する。
【００３３】
また、ユーザは所望のｃｈ５１、５４及び５５の挿入点に、所望の挿入エフェクタ５７（「Ｉｎｓ．ＥＦ」）を挿入可能であり、ある挿入点に挿入された挿入エフェクタ５７は、その挿入エフェクタ用のパラメータに従って、その挿入点に供給される音信号に対して効果処理を施しその挿入点に戻す。
【００３４】
図５（ａ）は、１つの入力ｃｈ５１の構成要素例を示し、また、図５（ｂ）は、第１バスｃｈ５４及び１つの第２バスｃｈ５５の構成要素例を示す。なお、変数「ｉ」は入力ｃｈのｃｈ番号「１」〜「３２」を表す。また、変数「ｊ」はバスｃｈのｃｈ番号であり、ｊ＝０により第１バスｃｈ５４を表し、ｊ＝１〜８により各第２バスｃｈ５５を表す。なお、以下に説明する、音信号の各要素を制御する各パラメータの値は、メモリ２２に記憶されている。
【００３５】
入力ｃｈ（ｉ）の特性制御部６０（図１の符号１３０）は、各種パラメータＣＰ１（ｉ）〜ＣＰＮ（ｉ）に従って、該入力ｃｈ（ｉ）に供給された音信号の特性を制御する。特性制御部６０は、例えばイコライザ（「ＥＱ」）やコンプレッサ（「ＣＯＭＰ）などのような各種の特性制御部を１以上含み、また、前記特性制御部と直列に挿入エフェクタ５７用の挿入点（図示外）を有する。ボリューム６１（「ＣＶ」）は、パラメータＣＶ（ｉ）に従って、前記特性制御後の音信号のレベルを制御する。また、ｃｈスイッチ６２（「ＣＯ」）は、パラメータＣＯ（ｉ）がオンであれば、レベル制御された音信号をスイッチ６３、６４に供給し、オフであれば、無音の音信号をスイッチ６３、６４に供給する（つまり、音が含まれる音信号をスイッチ６３、６４に供給しない）。ボリューム６１、スイッチ６２、およびスイッチ６３は、全体として、１つの音信号に対しパラメータＣＶ（ｉ）、ＣＯ（ｉ）、Ｔｏ＃１に応じた１つの係数を乗算する第１乗算器（図１の符号１４）と看做せる。第１バス送出スイッチ６３（「Ｔｏ＃１」）は、パラメータＴｏ＃１（ｉ）がオンであれば、ｃｈスイッチ６２からの音信号を第１バス５２へ供給し、オフであれば、その音信号を第１バス５２へ供給しない。
【００３６】
入力ｃｈ（ｉ）は、更に、８本の第２バス（ｊ）それぞれに対応して、プリ・ポストスイッチ６４（「ＰＰ」）、センドボリューム６５（「ＳＶ」）、及び、第２バス送出スイッチ６６（「Ｔｏ＃２」）を備える。プリ・ポストスイッチ６４は、パラメータＰＰ（ｉ、ｊ）に従って、ボリューム６１前のプリ信号、又は、ｃｈスイッチ６２後のポスト信号の何れかを選択して、センドボリューム６５へ供給する。センドボリューム６５は、パラメータＳＶ（ｉ、ｊ）に従って、供給された音信号のレベルを制御して第２バス送出スイッチ６６へ供給する。また、第２バス送出スイッチ６６は、パラメータＴｏ＃２（ｉ、ｊ）がオンであれば、供給された音信号を第２バス（ｊ）へ供給し、オフであれば、その音信号を第２バス（ｊ）へ供給しない。ボリューム６１、６５とスイッチ６２、６４、６６は、全体として、１つの音信号に対しパラメータＣＶ（ｉ）、ＣＯ（ｉ）、ＰＰ（ｉ、ｊ）、ＳＶ（ｉ、ｊ）、Ｔｏ＃２（ｉ、ｊ）に応じた１つの係数を乗算する第２乗算器（図１の符号１５）と看做せる。
【００３７】
また、図５（ｂ）に示す通り、第１バスｃｈ５４及び第２バスｃｈ５５は、それぞれ、第１バスｃｈ５４が第１バス送出スイッチ７７（「Ｔｏ＃１」）を持たない点を除き、入力ｃｈ（ｉ）と同様に構成される。特性制御部７０、７１は、それぞれ、各種パラメータＢＰ１（ｊ）〜ＢＰＮ（ｊ）に従って、対応するバス５２、５３で混合された音信号の特性を制御する。ボリューム（「ＢＶ」）７２、７３は、それぞれ、パラメータＢＶ（ｊ）に従って、前記特性制御後の音信号のレベルを制御する。ｃｈスイッチ（「ＢＯ」）７４，７５では、パラメータＢＯ（ｊ）がオンであれば、レベル制御された音信号を出力パッチ５６に供給し、オフであれば、その音信号を出力パッチ５６に供給しない。ボリューム７２、７３とスイッチ７４、７５は、全体として、１つの音信号に対しパラメータＢＶ（ｊ）とＢＯ（ｊ）に応じた１つの係数を乗算する第４乗算器と看做せる。また、第２バスｃｈ（ｊ）５５の第１バス送出スイッチ７７（「Ｔｏ＃１」）は、パラメータＴｏ＃１（ｊ）がオンであれば、スイッチ７５からの音信号を第１バス５２へ供給し、オフであれば、その音信号を第１バス５２へ供給しない。ボリューム７３、スイッチ７５、およびスイッチ７７は、全体として、１つの音信号に対しパラメータＢＶ（ｊ）、ＢＯ（ｊ）、Ｔｏ＃１（ｊ）に応じた１つの係数を乗算する第３乗算器と看做せる。
【００３８】
なお、図５（ａ），（ｂ）において、点線で囲まれた複数要素（例えばＣＶ６１とＣＯ６２）に関しては、それら要素の各パラメータに基づいて１つの係数がＣＰＵ２１により生成され、信号処理部２６は、生成された係数を音信号に乗算する。すなわち、点線で囲まれた複数要素は、信号処理部２６の１回の乗算に相当する。
【００３９】
図６に、音信号のレベルを制御する第１〜第４乗算器のゲインの例を示す。図５（ａ）に示す入力ｃｈ５１の構成例の場合、或る入力ｃｈ（ｉ）５１から第１バス５２へ送出される音信号のレベルを制御する第１乗算器の第１ゲイン「Ｇ１（ｉ）」（図１の符号１４）は、ＣＶ（ｉ）、ＣＯ（ｉ）及びＴｏ＃１（ｉ）の和である。Ｇ１（ｉ）の変数ｉはｃｈ番号１〜３２の何れかをとる。また、或る入力ｃｈ（ｉ）５１から或る第２バス（ｊ）５３へ送出される音信号のレベルを制御する第２乗算器の第２ゲイン「Ｇ２（ｉ，ｊ）」（図１の符号１５）は、第２バス（ｊ）にポスト信号を送出する場合（ＰＰ（ｉ、ｊ）＝０）、ＣＶ（ｉ）、ＣＯ（ｉ）、ＳＶ（ｉ，ｊ）及びＴｏ＃２（ｉ，ｊ）の和であり、また、第２バス（ｊ）にプリ信号を送出する場合（ＰＰ（ｉ、ｊ）＝１）、ＣＶ（ｉ）、ＣＯ（ｉ）、ＳＶ（ｉ，ｊ）及びＴｏ＃２（ｉ，ｊ）の和である。また、Ｇ２（ｉ，ｊ）の変数ｉはｃｈ番号１〜３２の何れかをとり、変数ｊはバスｃｈ番号１〜８の何れかをとる。
【００４０】
また、或る第２バスｃｈ（ｊ）５５から第１バス５２へ送出される音信号のレベルを制御する第３乗算器の第３ゲイン「Ｇ３（ｊ）」は、ＢＶ（ｊ）、ＢＯ（ｊ）及びＴｏ＃１（ｊ）の和である（図７参照）。Ｇ３（ｊ）の変数ｊは、８本の第２バス５３のバス番号１〜８の何れかをとる。また、第１バスｃｈ（ｊ＝０）５４又は或る第２バスｃｈ（ｊ）５５から出力パッチ５６へ送出するレベルを制御する第４乗算器の第４ゲイン「Ｇ４（ｊ）」は、ＢＶ（ｉ）及びＢＯ（ｉ）の和である。Ｇ４（ｊ）の変数ｊは、バス番号０〜８の何れかをとる。
【００４１】
ここで、上記の各種ゲインＧ１（ｉ）、Ｇ２（ｉ，ｊ）、Ｇ３（ｊ）、Ｇ４（ｊ）を構成する各パラメータＣＶ（ｉ）、ＳＶ（ｉ）、ＢＶ（ｊ）、ＣＯ（ｉ）、Ｔｏ＃１（ｉ）、Ｔｏ＃２（ｉ、ｊ）及び、Ｔｏ＃１（ｊ）の値は、デシベル（「ｄＢ」と略記）単位で表される。レベル制御用のＣＶ（ｉ）、ＳＶ（ｉ）及びＢＶ（ｊ）の値は、「−∞ｄＢ」から上限値（例えば「＋１０ｄＢ」）までの連続的な範囲の値をとり、「０ｄＢ」（基準レベル）のとき入力された音信号のレベルを変化させず、ミュート値「−∞ｄＢ」のとき音信号をミュートする。また、スイッチ用のＣＯ（ｉ）、Ｔｏ＃１（ｉ）、Ｔｏ＃２（ｉ、ｊ）及び、Ｔｏ＃１（ｊ）の値は、スイッチがオンであれば「０ｄＢ」、オフであれば「−∞ｄＢ」の値をとる。複数パラメータの加算において、何れかのパラメータが「−∞ｄＢ」であれば、他のどのパラメータを加算しても、結果は「−∞ｄＢ」になる。すなわち、各ＣＯ（ｉ）、Ｔｏ＃１（ｉ）、Ｔｏ＃２（ｉ、ｊ）及び、Ｔｏ＃１（ｊ）に応じた、対応するｃｈの音信号のミュート及びミュート解除が行われる。
【００４２】
図４及び図５に示す信号処理は、基本的には、入力ｃｈ（ｉ）毎に、入力された音信号を処理し、処理後の音信号を主出力系の第１バス５２にて混合し、その混合音信号を第１バスｃｈ５４にて処理した後、メインスピーカ等から出力するものである。ユーザは、「レイヤ１」キー４０、「レイヤ２」キー４１、「レイヤ３」キー４２又は「レイヤ４」キー４３により、操作パネル上の複数のｃｈストリップ３０のそれぞれに、入力ｃｈ（ｉ）を割り当てることができる。そして、ユーザは、ｃｈストリップ３０の操作子３２〜３６を用いて、そのｃｈストリップ３０に割り当てられた入力ｃｈ（ｉ）の各種パラメータ（図５（ａ）参照）の値を調整できる。また、ユーザは、第１バスｃｈストリップ３１の操作子３２〜３６を用いて、第１バスｃｈ５４の各種パラメータ（図５（ｂ）参照）の値を調整できる。
【００４３】
また、ユーザは、「ＤＣＡ」キー４４により、８のｃｈストリップ３０にＤＣＡレイヤの８つのＤＣＡグループ（ｇ）を割り当てる。この場合、ユーザは、ｃｈストリップ３０の操作子３２〜３６を用いて、そのｃｈストリップ３０に割り当てられたＤＣＡグループに属する各入力ｃｈのパラメータをまとめて調整できる。このようなグループ機能は、従来からある、この実施例では、このグループ機能を、ＤＣＡグループの例で説明する。このミキサ２０では、各ＤＣＡグループ（ｇ）毎に、ユーザにより、又は、自動的に、通常モードと特殊モードの何れか一方が選択され、ＣＰＵ２１は、通常モードのＤＣＡグループ（ｇ）に関しては、従来のＤＣＡグループと同じ制御を行い、特殊モードのＤＣＡグループ（ｇ）に関しては、その制御とは異なる制御を行う。なお、変数「ｇ」はグループを識別するためのグループ番号である。
【００４４】
ユーザは、ＤＣＡに限らず、一般に、グループ機能に用いるグループとして、任意の複数ｃｈからなるグループを定義できる。図７及び図８は、ユーザによるグループ化指示に応じた、グループ定義処理例を説明するフローチャートであって、図７は或るグループ（ｇ）に或る入力ｃｈ（ｉ）を追加する処理例、図８は或るグループ（ｇ）から或る入力ｃｈ（ｉ）を除外する処理例を示す。なお、変数「ｇ」はグループを識別するためのグループ番号である。「グループ化指示」はグループの構成ｃｈを定義するためにユーザが行う指示であり、例えば、ディスプレイ２３において、対象となるグループ（ｇ）と、追加又は除外したい入力ｃｈ（ｉ）とを指定する操作など、どのような操作により行われてもよい。
【００４５】
ユーザによる、或るグループ（ｇ）に或る入力ｃｈ（ｉ）を追加する指示に応じて、ＣＰＵ２１は、そのグループのリスト（ｇ）に、その入力ｃｈ（ｉ）を追加する（図７のステップＳ１）。また、ユーザによる、或るグループ（ｇ）から或る入力ｃｈ（ｉ）を除外する指示に応じて、ＣＰＵ２１は、そのグループのリスト（ｇ）から、その入力ｃｈ（ｉ）を除外する（図８のステップＳ２）。
【００４６】
前記リスト（ｇ）は、そのグループ（ｇ）に属する全ての入力ｃｈ（ｉ）を特定する情報（例えばｃｈ番号）を登録したリストである。メモリ２２には、複数のグループ（ｇ）それぞれのリスト（ｇ）が記憶される。
【００４７】
前記Ｓ１及びＳ２の処理により所望のグループ（ｇ）に所望の複数の入力ｃｈ（ｉ）を追加し、また、所望のグループ（ｇ）から所望の入力ｃｈ（ｉ）を外すことができ、３２の入力ｃｈ５１のうちの所望の一部の入力ｃｈ５１からなる１つのグループが形成される。例えば、ユーザは、複数のＤＣＡグループ（例えば、最大で８つのグループ）を形成できる。なお、この実施例では、説明を簡単にするため、１つの入力ｃｈ（ｉ）は１つのＤＣＡグループ（ｇ）にのみ属するものとする。
【００４８】
次に、ｃｈストリップ３０の操作子３２〜３６の操作に応じて、ミキサ２０のＣＰＵ２１が行う処理について説明する。図９は、或る入力ｃｈ（ｉ）が割り当てられたｃｈストリップ３０のフェーダ３２が操作されたときに、ＣＰＵ２１が実行するレベル調整処理を示すフローチャートである。ステップＳ３において、ＣＰＵ２１は、操作されたフェーダ３２のつまみ位置に応じたゲイン値を、メモリ２２に記憶された当該入力ｃｈ（ｉ）のパラメータＦＤ（ｉ）に設定する。フェーダ３２のつまみ位置に応じたゲイン値とは、デシベル単位で表されるもので、例えば、つまみ位置が所定の基準位置のとき基準レベル（「０ｄＢ」）、最下端のとき「−∞ｄＢ」、最上端のとき上限値（例えば「＋１０ｄＢ」）となる。メモリ２２には、入力ｃｈ（ｉ）毎のＦＤ（ｉ）が記憶されている。
【００４９】
ステップＳ４において、ＣＰＵ２１は後述のグループ毎のリスト（ｇ）に基づき当該入力ｃｈ（ｉ）がグループに属するか否かを調べる。当該入力ｃｈ（ｉ）が、通常モード（後述）の何れのＤＣＡグループにも属さない場合（ステップＳ４のＮｏ）、ステップＳ５において、ＣＰＵ２１は、前記設定されたＦＤ（ｉ）を、当該入力ｃｈ（ｉ）のパラメータＣＶ（ｉ）に設定する。これにより、メモリ２２に記憶された当該入力ｃｈ（ｉ）のＣＶ（ｉ）が変更される。信号処理部２６は、該変更されたＣＶ（ｉ）を当該入力ｃｈ（ｉ）のｃｈボリューム６１に供給し、その入力ｃｈ（ｉ）の音信号のレベルを制御する。
のボリューム６１処理において、該変更されたＣＶ（ｉ）に従って、当該入力ｃｈ（ｉ）の音信号のレベルを制御する。
【００５０】
一方、フェーダ操作された入力ｃｈ（ｉ）が何れかのＤＣＡグループ（ｇ）に属している場合（ステップＳ４のＹｅｓ）、ＣＰＵ２１は、ステップＳ６において、そのフェーダ操作に応じたＦＤ（ｉ）に、そのＤＣＡグループのレベル示すパラメータＤＣＡ（ｇ）に加算し、該ＦＤ（ｉ）とＤＣＡ（ｇ）の和を、当該入力ｃｈ（ｉ）のＣＶ（ｉ）に設定する。メモリ２２には、ＤＣＡグループ（ｇ）毎のＤＣＡ（ｇ）が記憶されている。信号処理部２６は、該変更されたＣＶ（ｉ）を当該入力ｃｈ（ｉ）のｃｈボリューム６１に供給し、その入力ｃｈ（ｉ）の音信号のレベルを制御する。ここでは、ＤＣＡグループで説明したが、ＤＣＡ以外のグループの入力ｃｈ間で何らかのパラメータを連動する処理は、図９の処理と同じようにしてもよいし、図１５のようにしてもよい。
【００５１】
図１０は、通常モードの或るＤＣＡグループ（ｇ）のＤＣＡフェーダ３２が操作されたときに、ＣＰＵ２１が実行する処理例を示すフローチャートである。ステップＳ７において、ＣＰＵ２１は、ＤＣＡフェーダ３２のつまみ位置に応じたゲイン値を、メモリ２２に記憶された当該ＤＣＡグループ（ｇ）のパラメータＤＣＡ（ｇ）に設定する。
【００５２】
ステップＳ８において、ＣＰＵ２１は、前記設定されたＤＣＡ（ｇ）に基づき、当該ＤＣＡグループ（ｇ）に属する各入力ｃｈ（ｉ）のＣＶ（ｉ）の値を算出する。具体的には、ステップＳ４のように、設定されたＤＣＡ（ｇ）が、当該ＤＣＡグループ（ｇ）に属する複数の各入力ｃｈ（ｉ）のＦＤ（ｉ）に加算され、その和が、その入力ｃｈ（ｉ）のパラメータＣＶ（ｉ）に設定される。これにより、当該ＤＣＡグループ（ｇ）に属する各入力ｃｈ（ｉ）のＣＶ（ｉ）が変更される。信号処理部２６は、当該ＤＣＡグループに属する各入力ｃｈ（ｉ）のボリューム６１処理において、該変更されたＣＶ（ｉ）に従って、音信号のレベルを制御する。これにより、ＤＣＡグループ（ｇ）に属する各入力ｃｈ（ｉ）のレベルは、互いのレベル差を保ったまま、今回行われたＤＣＡフェーダ３２の操作分だけ、変化する。例えば、ＤＣＡ（ｇ）が１ｄＢ、或るＤＣＡグループ（ｇ）の３つの入力ｃｈのＦＤ（１）＝「１ｄＢ」、ＦＤ（２）＝「−２ｄＢ」、ＦＤ（３）＝「０ｄＢ」の場合、ＣＶ（１）は「２ｄＢ」、ＣＶ（２）は「−１ｄＢ」、ＣＶ（３）は「１ｄＢ」となる。
【００５３】
前記図１０の処理によるＤＣＡグループ（ｇ）に属する各入力ｃｈ（ｉ）のレベル調整処理は、例えば１組のドラムセットのレベル調整する場合に便利である。具体的には、１組のドラムセットを構成する複数の楽器の音信号が供給される複数の入力ｃｈを１つのＤＣＡグループにすれば、ｃｈストリップ３０に入力ｃｈのレイヤを割り当てて、そのｃｈストリップでそのドラムセットの複数楽器の楽器音のレベルバランスを入力ｃｈ毎に調整しつつ、ｃｈストリップ３０にＤＣＡレイヤを割り当てて、そのｃｈストリップでそのＤＣＡグループのフェーダ３２を操作することで、入力ｃｈレイヤで調整した個々の楽器音のレベルバランスを維持したまま、ＤＣＡフェーダでそれら楽器音のレベルをまとめて調整できる。しかし、前記図１０のＤＣＡグループ（ｇ）毎のレベル調整処理では、１つのＤＣＡフェーダ３２の操作に応じて、そのＤＣＡグループ（ｇ）に属する各入力ｃｈ（ｉ）の楽器音のレベルが調整されるだけである。１つのＤＣＡグループ（ｇ）の音信号全体（つまりＤＣＡグループ（ｇ）に属する各入力ｃｈ（ｉ）の混合音信号）に対する信号処理を行いたい場合、ユーザは、ＤＣＡグループ（ｇ）に属する全ての入力ｃｈ（ｉ）について、主出力系の第１バス５２への音信号の送出をミュートし、かつ、第２バス５３に（ミュート前の第１バスへの送出レベルと）同じレベルで送出するよう、ｃｈ毎に設定を行う必要がある。この実施例に係るミキサ２０は、全ｃｈのうちの特定のグループ（ｇ）に属する入力ｃｈ（ｉ）のみを、第１バス５３での混合から外して、第２バス５３にて同じレベルで混合するための設定を、１つの指示に応じて、一括で行うようにしたことに、１つの特徴がある。この明細書では、その一括して行なわれる設定を「一括設定」と呼ぶ。
【００５４】
図１１は、ユーザによる一括設定指示に応じて、ＣＰＵ２１が行う処理例を示すフローチャートである。一括設定指示では、１つのＤＣＡグループ（ｇ）が指定される。さらに、そのＤＣＡグループ（ｇ）の複数入力ｃｈの音信号の混合に用いる第２バス（ｊ）を指定するようにしてもよい。一括設定指示は、例えば、ユーザが、１つのＤＣＡグループ（ｇ）が割り当てられているｃｈストリップ３０のＳＥＬキー３６を押しながら、何れか１つの第２バス（ｊ）に対応するバスキー３７を押すことで発行される。なお、第２バス（ｊ）と第２バスｃｈ（ｊ）は１対１で対応しているので、対象となる１つの第２バス（ｊ）の指定は、その第２バス（ｊ）に対応する第２バスｃｈ（ｊ）の指定と実質的に等価である。
【００５５】
ステップＳ９において、ＣＰＵ２１は、一括設定の実行又はキャンセルをユーザに再確認するための実行確認ダイアログを、ディスプレイ２３に表示し、ここでユーザによりキャンセルが指示されると（ステップＳ１０のＮｏ）ＣＰＵ２１は処理を終了する。ユーザにより実行が指示されると（ステップＳ１０のＹｅｓ）、ＣＰＵ２１は、ステップＳ１１において、指定された第２バス（ｊ）に対応する第２バスｃｈ（ｊ）のＢＶ（ｊ）に「−∞ｄＢ」を設定し、信号処理部２６は、その第２バスｃｈ（ｊ）の音信号を一旦ミュートする。このとき、ＣＰＵ２１は、ＢＶ（ｊ）の値を「−∞ｄＢ」へ徐々に下げて、信号処理部２６に、その音信号をフェードアウトさせてもよい。
【００５６】
ステップＳ１２において、ＣＰＵ２１は、指定された第２バスｃｈ（ｊ）の特性制御部７１の各種パラメータＢＰ１（ｊ）〜ＢＰＮ（ｊ）の値を音信号スルー用の設定にリセットする。音信号スルー用の設定とは、例えば、ＥＱをフラットな周波数特性に設定する、コンプレッサの閾値を最大値にするなどである。この設定により、信号処理部２６において、第２バスｃｈ（ｊ）の特性制御部６０は、音信号の特性を変化させずに出力する。
【００５７】
ステップＳ１３において、ＣＰＵ２１は、指定されたＤＣＡグループ（ｇ）に属する各入力ｃｈ（ｉ）に対して、以下のように、第１バスおよび第２バス（ｊ）に関するパラメータ設定を行う。すなわち、その入力ｃｈ（ｉ）のＴｏ＃２（ｉ,ｊ）にその入力ｃｈ（ｉ）のＴｏ＃１（ｉ）の値を設定し、また、入力ｃｈ（ｉ）のＴｏ＃１（ｉ）にオフ＝「−∞ｄＢ」を設定し、また、その入力ｃｈ（ｉ）のＰＰ（ｉ，ｊ）に「ポスト」を設定し、且つ、その入力ｃｈ（ｉ）から指定された第２バス（ｊ）へのＳＶ（ｉ，ｊ）に「０ｄＢ」を設定する。これにより、信号処理部２６における、ＤＣＡグループ（ｇ）に属する各入力ｃｈ（ｉ）から指定された第２バス（ｊ）への音信号の第２ゲインは、Ｇ２（ｉ，ｊ）＝ＣＶ（ｉ）＋ＣＯ（ｉ）＋「０ｄＢ」＋Ｔｏ＃１（ｉ）となり、直前（ステップＳ１３実行前）のその入力ｃｈ（ｉ）の第１ゲインＧ１（ｊ）＝ＣＶ（ｉ）＋ＣＯ（ｉ）＋Ｔｏ＃１（ｉ）と同じ値に設定される。また、Ｔｏ＃１（ｉ）はオフであるので、同音信号の第１ゲインは「−∞ｄＢ」となり、信号処理部２６において、ＤＣＡグループ（ｇ）に属する各入力ｃｈ（ｉ）から第１バス５２への音信号の送出はオフ（ミュート）される。
【００５８】
ステップＳ１４において、ＣＰＵ２１は、指定されたＤＣＡグループ（ｇ）に属さない各入力ｃｈ（ｉ´）に対して以下のパラメータ設定を行う。すなわち、その入力ｃｈ（ｉ´）から第２バス（ｊ）へのＴｏ＃２（ｉ´,ｊ）にオフ＝「−∞ｄＢ」を、また、ＳＶ（ｉ´，ｊ）に「−∞ｄＢ」を設定する（あるいは、一方だけを「−∞ｄＢ」に設定すれば、他方はどんな値でも可）。これにより、指定されたＤＣＡグループ（ｇ）に属さない各入力ｃｈ（ｉ´）から第２バス（ｊ）への音信号の第２ゲインは、Ｇ２（ｉ´，ｊ）＝ＣＶ（ｉ´）＋ＣＯ（ｉ´）＋「−∞ｄＢ」＋「−∞ｄＢ」、または、Ｇ２（ｉ´，ｊ）＝「−∞ｄＢ」＋「−∞ｄＢ」、すなわち、ミュートの値（−∞ｄＢ）に設定される。従って、信号処理部２６において、指定されたＤＣＡグループ（ｇ）に属さない各入力ｃｈ（ｉ´）から当該指定された第２バス（ｊ）への音信号の送出はオフ（ミュート）される。
【００５９】
ステップＳ１５において、ＣＰＵ２１は、指定された第２バスｃｈ（ｊ）のＢＶ（ｊ）に「０ｄＢ」を設定し、且つ、該第２バスｃｈ（ｊ）のＢＯ（ｊ）とＴｏ＃１（ｊ）にオン＝「０ｄＢ」を設定する。これにより、信号処理部２６において、指定された第２バスｃｈ（ｊ）５３から第１バス５２へ送出される音信号の第３ゲインがオン「０ｄＢ」（すなわち、非ミュート値）になる。なお、このとき、ＣＰＵ２１は、ＢＶ（ｊ）の値を「−∞ｄＢ」から「０ｄＢ」へ徐々に上げて、信号処理部２６に、その音信号をフェードインさせてもよい。
【００６０】
前記図１１の一括設定処理により、指定されたＤＣＡグループ（ｇ）に属する各入力ｃｈ（ｉ）の音信号のみが第１バス５２での混合から外され、指定された第２バス（ｊ）５３にて、第１バス５２での元の混合レベルと同じ混合レベルで混合され、その混合結果が第２バスｃｈ（ｊ）５５を介して、第１バス５２に送出されるように設定される（図４、図５（ｂ）参照）。一方、指定されたＤＣＡグループ（ｇ）に属さない各入力ｃｈ（ｉ´）は、指定された第２バス（ｊ）への送出をミュートされる以外は、一括設定前から変化なく、例えば第１バス５２に送出されている音信号は、一括設定前と同様に第１バス５２に送出される。なお、この一括設定処理は、ＤＣＡ以外のグループについても、そのまま適用できる。
【００６１】
一括設定処理の終了時点では、指定されたＤＣＡグループ（ｇ）に属する各入力ｃｈ（ｉ）の第２ゲインＧ２（ｉ，ｊ）は、その入力ｃｈ（ｉ）の第１ゲインＧ１（ｉ）と同じ値に設定されているので、一括設定前後で、第１バス５２の混合結果（第１バスｃｈ５４の出力信号）に含まれるＤＣＡグループ（ｇ）の各音信号の混合レベルに変化はない。また、前記ステップＳ１３にて、指定されたＤＣＡグループ（ｇ）に属する各入力ｃｈ（ｉ）のＴｏ＃２（ｉ,ｊ）を、一括設定前のＴｏ＃１（ｉ）と同じ値に設定しているので、例えば、指定されたＤＣＡグループ（ｇ）に属する各入力ｃｈ（ｉ）から第２バス（ｊ）への音信号のオン／オフ設定は、一括設定前の該各入力ｃｈ（ｉ）から第１バス５２への音信号のオン／オフ設定を引き継ぐ。従って、ＤＣＡグループ（ｇ）に属する入力ｃｈ（ｉ）のうち、ユーザが第１バス５２への音信号の送出をオフに設定している入力ｃｈ（ｉ）については、一括設定後に、ユーザのバス送出オフ設定の意図通りに、第２バス（ｊ）への音信号の送出がオフされる。
従って、前記図１１の一括設定処理の終了時点では、メインスピーカ等から出力される第１バスｃｈ５４の出力する音信号（第１バス５２の混合音信号）は、一括設定前と同じである。なお、前記図１１のステップＳ１１〜Ｓ１５を行う極僅かの時間、指定されたＤＣＡグループ（ｇ）に属する各入力ｃｈ（ｉ）の音信号は、メインスピーカ等から出力される第１バスｃｈ５４の出力する音信号から途切れるが、直ぐに復活する。なお、信号処理部２６の信号処理で、ステップＳ１３における、各入力ｃｈ（ｉ）から第１バス５２への音信号のミュート「−∞ｄＢ」のタイミングと、ステップＳ１５における、第２バスｃｈ（ｊ）５３から第１バス５２への音信号のオン「０ｄＢ」のタイミングとを一致させて、その途切れを防止してもよい。
【００６２】
前記図１１の一括設定処理後、そのＤＣＡグループを通常モードから特殊モードに切り替えることで、前記指定されたＤＣＡグループ（ｇ）の割り当てられたｃｈストリップ３０のＤＣＡフェーダ３２に、前記指定された第２バスｃｈ（ｊ）のＢＶ（ｊ）を割り当ててもよい。特殊モードでは、ＤＣＡグループ（ｇ）に属する各入力ｃｈ（ｉ）では、ＦＤ（ｉ）の値がそのままボリュームＣＶ（ｉ）とされ、前記指定された第２バスｃｈ（ｊ）では、ＤＣＡ（ｇ）の値がそのままボリュームＢＶ（ｊ）とされる。そして、ユーザが、そのＤＣＡフェーダ３２を操作すると、そのＢＶ（ｊ）の値が変化する。図１２は、前記図１１の処理で一括設定し、特殊モードに切り替えた後、ユーザにより前記指定されたＤＣＡグループ（ｇ）のＤＣＡフェーダ３２が操作された場合に、ＣＰＵ２１が実行する処理例を示すフローチャートである。
【００６３】
ステップＳ１６において、ＣＰＵ２１は、操作されたＤＣＡフェーダ３２のつまみ位置に応じたゲイン値を、メモリ２２に記憶された当該ＤＣＡグループ（ｇ）のＤＣＡ（ｇ）に設定する。ステップＳ１７において、ＣＰＵ２１は、前記ＤＣＡ（ｇ）の値を、当該ＤＣＡグループ（ｇ）の前記指定された第２バス（ｊ）に対応する第２バスｃｈ（ｊ）のＢＶ（ｊ）に設定する。当該ＤＣＡグループ（ｇ）が特殊モードにある場合、ユーザによる該ＤＣＡフェーダ３２に応じて、前記指定された第２バスｃｈ（ｊ）のＢＶ（ｊ）の値が変化する。ＢＶ（ｊ）の値が変化すると、当該第２バスｃｈ（ｊ）の第３ゲインＧ３（ｊ）と、当該第２バスｃｈ（ｊ）の第４ゲインＧ４（ｊ）が変化する。信号処理部２６は、該ステップＳ１７で設定されたＢＶ（ｊ）に従い、該第２バスｃｈ（ｊ）の音信号のレベルを制御する。
【００６４】
ユーザは、所望のＤＣＡグループ（ｇ）について、音信号の混合に用いる第２バスを指定して「一括設定指示」するだけで、ミキサの全入力ｃｈのうちの該所望の１ＤＣＡグループ（ｇ）の入力ｃｈの音信号のみを、指定された第２バス（ｊ）で混合するように設定できる（前記ステップＳ１３及びＳ１４）。さらに特殊モードにすれば、ユーザは、ＤＣＡグループ（ｇ）のＤＣＡフェーダ３２の操作により、指定された第２バスｃｈ（ｊ）にて、ＤＣＡグループ（ｇ）の混合音信号（つまりＤＣＡグループ（ｇ）に属する各入力ｃｈ（ｉ）の混合音信号）のレベルを調整できる（前記ステップＳ１７）。
【００６５】
特殊モードに切り替えられていない（つまり通常モードの）ＤＣＡグループ（ｇ）のｃｈストリップ３０に関しては、ＣＰＵ２１は、通常のＤＣＡグループの制御動作を行う。すなわち、そのＤＣＡグループ（ｇ）のＤＣＡフェーダ３２の操作に応じて、ＣＰＵ２１は、そのＤＣＡグループ（ｇ）に属する複数の各入力ｃｈ（ｉ）のＣＶ（ｉ）を変更する（前記図１０のＳ７、Ｓ８）。
【００６６】
ミュートグループやＤＣＡグループの動作には、グループに属する各入力ｃｈ（ｉ）のｃｈスイッチ６２のＣＯ（ｉ）をまとめて切り替える機能がある。図１３は、或るＤＣＡグループ（ｇ）が割り当てられたｃｈストリップ３０のｃｈオン／オフキー３５の操作に応じて、ＣＰＵ２１が実行する処理例を示すフローチャートである。ステップＳ１８において、ＣＰＵ２１は、操作されたグループ（ｇ）のミュートの値（図において「ＭＵＴＥ（ｇ）」）を反転する。ＭＵＴＥ（ｇ）は、各グループ（ｇ）のミュート／ミュート解除を制御するパラメータであり、グループ（ｇ）毎のＭＵＴＥ（ｇ）の値がメモリ２２に記憶されている。
【００６７】
ＭＵＴＥ（ｇ）がミュート解除に設定された場合（ステップＳ１９のＹｅｓ）、ＣＰＵ２１は、ＤＣＡグループ（ｇ）に属する複数の各入力ｃｈ（ｉ）のＣＯ（ｉ）をそれぞれオン＝「０ｄＢ」に設定する（ステップＳ２０）。また、ＭＵＴＥ（ｇ）がミュートに設定された場合（ステップＳ１９のＮｏ）、ＣＰＵ２１は、ＤＣＡグループ（ｇ）に属する各入力ｃｈ（ｉ）のＣＯ（ｉ）をそれぞれオフ＝「−∞ｄＢ」に設定する（ステップＳ２１）。該ステップＳ２０、２１により、グループ（ｇ）に属する複数の各入力ｃｈ（ｉ）のＣＯ（ｉ）の値が変更される。信号処理部２６は、変更された各ＣＯ（ｉ）に従い、該グループ（ｇ）に属する各入力ｃｈ（ｉ）のｃｈスイッチ６２における音信号の次段への供給／不供給を制御する。
【００６８】
ＤＣＡグループ（ｇ）が特殊モードにある場合、そのグループ（ｇ）が割り当てられたｃｈストリップ３０のｃｈオン／オフキー３５には、そのグループ（ｇ）の送出先に指定された第２バスｃｈ（ｊ）のＢＯ（ｊ）が割り当てられる。ユーザは、そのｃｈストリップ３０のｃｈオン／オフキー３５を用いて、指定された第２バスｃｈ（ｊ）のＢＯ（ｊ）の値を切り替えることで、該指定されたグループ（ｇ）の音信号（グループ（ｇ）に属する各入力ｃｈ（ｉ）の混合結果）のミュート／ミュート解除を行うことができる。図１４は、前記図１１の一括設定後に、特殊モードに切り替えられたグループ（ｇ）が割り当てられたｃｈストリップ３０のｃｈオン／オフキー３５の操作に応じて、ＣＰＵ２１が実行する処理例を示すフローチャートである。ステップＳ２２において、ＣＰＵ２１は、そのグループ（ｇ）のミュートの値（図において「ＭＵＴＥ（ｇ）」）を反転する。ＭＵＴＥ（ｇ）がミュート解除に設定された場合（ステップＳ２３のＹｅｓ）、ＣＰＵ２１は、前記一括設定で指定された第２バスｃｈ（ｊ）のＢＯ（ｊ）をオン＝０ｄＢに設定し（ステップＳ２４）、また、ＭＵＴＥ（ｇ）がミュートに設定された場合（ステップＳ２３のＮｏ）、ＣＰＵ２１は、前記指定された第２バスｃｈ（ｊ）のＢＯ（ｊ）をオフ＝「−∞ｄＢ」に設定する（ステップＳ２５）。該ステップＳ２４、２５により当該第２バスｃｈ（ｊ）のＢＯ（ｊ）の値が変更される。信号処理部２６は、変更されたＢＯ（ｊ）の値に従い、該グループ（ｇ）の混合音信号を処理する第２バスｃｈ（ｊ）のｃｈスイッチ７４、７５における音信号の供給／不供給を制御する。
【００６９】
また、別の実施形態において、グループ動作は、１つのグループに属する各入力ｃｈの各種特性制御部６０のパラメータをまとめて調整するｃｈリンク動作である。各種特性制御部６０のパラメータＣＰ１（ｉ）〜ＣＰＮ（ｉ）は、例えば、エンコーダ３３を用いて調整される。図１５は、或る入力ｃｈ（ｉ）が割り当てられたｃｈストリップ３０のエンコーダ３３をユーザが回転したときに、ＣＰＵ２１が実行する処理を示すフローチャートである。図１５において、変数ｐは、ＣＰ１（ｉ）〜ＣＰＮ（ｉ）の何れか１つのパラメータを示す。ステップＳ３０において、ＣＰＵ２１は、操作されたエンコーダ３３のつまみの回転データをパラメータＲＤに設定する。パラメータＲＤは操作されたエンコーダ３３の回転データを示す。回転データはエンコーダ３３のつまみの回転量を示し、ユーザがつまみを右回転してならば正の値となり、左回転したなら負の値となる。
【００７０】
ステップＳ３１において、ＣＰＵ２１はグループ毎のリスト（ｇ）に基づき当該入力ｃｈ（ｉ）がグループに属するか否かを調べる。当該入力ｃｈ（ｉ）が、通常モードの何れのグループにも属さない場合（ステップＳ３１のＮｏ）、ステップＳ３２において、ＣＰＵ２１は、ＣＰｐ（ｉ）とΔｐ（ＲＤ）の和を、当該入力ｃｈ（ｉ）のＣＰｐ（ｉ）に設定する。Δｐは、ＲＤに応じたパラメータｐの変化量を示す。ＲＤに応じたパラメータｐの変化特性は、パラメータｐ毎に規定されている。信号処理部２６は、ステップＳ３２で設定されたＣＰｐ（ｉ）を当該入力ｃｈ（ｉ）の特性制御部６０に供給し、その入力ｃｈ（ｉ）の音信号の特性を制御する。
【００７１】
当該入力ｃｈ（ｉ）が、何れかのグループ（ｇ）に属している場合（ステップＳ３１のＹｅｓ）、ステップＳ３３において、ＣＰＵ２１は、グループｇでパラメータｐのリンクが有効かどうか判断する。グループｇでパラメータｐのリンクが有効な場合（ステップＳ３３のＹｅｓ）、ＣＰＵ２１は、グループｇに属する各入力ｃｈ（ｋ）のＣＰ（ｋ）に、ＣＰｐ（ｋ）とΔｐ（ＲＤ）の和を設定する。信号処理部２６は、ステップＳ３３で設定されたＣＰｐ（ｋ）をグループｇに属する各入力ｃｈ（ｋ）の特性制御部６０に供給し、各入力ｃｈ（ｋ）の音信号の特性を制御する。グループｇで当該パラメータｐのリンクが有効でない場合（ステップＳ３３のＮｏ）、前記ステップＳ３２において、ＣＰＵ２１は、当該入力ｃｈ（ｉ）のＣＰｐ（ｉ）のみを設定する。
【００７２】
このように、通常のグループｃｈリンク動作では、或るグループ（ｇ）に属する入力ｃｈ（ｉ）が割り当てられたｃｈストリップのエンコーダ３３の操作に応じて、ＣＰＵ２１は、そのグループ（ｇ）に属する各入力ｃｈ（ｋ）のパラメータｐをまとめて調整する。これに対して、前記図１１の一括設定後は、グループ（ｇ）が特殊モードにある場合、そのグループ（ｇ）が割り当てられたｃｈストリップ３０のエンコーダ３３には、そのグループ（ｇ）の送出先に指定された第２バスｃｈ（ｊ）のＢＰ１（ｊ）〜ＢＰＮ（ｊ）のうち何れか１つのパラメータｐが割り当てられる。そのｃｈストリップ３０のエンコーダ３３の操作に応じて、ＣＰＵ２１は、操作されたエンコーダ３３のつまみの回転データをＲＤに設定し、ＲＤに応じた変化量Δｐ（ＲＤ）だけ、該指定された第２バスｃｈ（ｊ）のＢＰｐ（ｊ）の値を変化させる。信号処理部２６は、前記ＢＰｐ（ｊ）を、第２バスｃｈ（ｊ）の特性制御部６０に供給し、第２バスｃｈ（ｊ）の音信号の特性を制御する。これにより、ユーザは、１つの操作子を操作するだけで、特定のグループ（ｇ）の音信号（該グループ（ｇ）に属する各入力ｃｈ（ｋ）の音信号の混合結果）に対するＥＱやフィルタを調整できる。ここで示した実施形態に関わらず、グループ動作は、１つのグループに属する各入力ｃｈ（ｋ）の少なくとも１つのパラメータを、１つの操作子を用いて、まとめて調整する動作であればどのようなものでもよい。また、グループ動作は、前述した様々な実施形態のグループ動作の任意の組み合わせであってもよい。
【００７３】
前記図４、図５の信号処理構成例では、第１バス５２及び第１バスｃｈ５４が両方ともモノラルチャンネルで構成される例を説明したが、第１バス５２及び第１バスｃｈ５４は、それぞれステレオ２ｃｈ構成であってもよい。この場合、各入力ｃｈ（ｉ）は、第１バス送出スイッチ６３（「Ｔｏ＃１」）の後段に、ステレオ信号の定位を制御するパン制御部を有する。ステレオ２ｃｈ構成の第１バスｃｈは、ステレオ２ｃｈ構成であることを除き、図５（ｂ）の第１バスｃｈ５４と同じ構造を有する。すなわち、ステレオ２ｃｈ構成の第１バスｃｈは、右ｃｈと左ｃｈとが、それぞれ、特性制御部７０、ボリューム（「ＢＶ」）７２、及びｃｈオンオフ（「ＢＯ」）７４を有する。各ブロック７０、７２、７４の各パラメータは、右ｃｈと左ｃｈとで同じ値になる。
【００７４】
前記の各実施形態において、ＣＰＵ２１が供給部に相当し、ＣＰＵ２１によるステップＳ１、Ｓ２が、グループ設定処理１６に相当し、ＣＰＵ２１によるステップＳ１３、Ｓ１４が、一括設定処理１７に相当する。また、ＣＰＵ２１によるステップＳ１７、Ｓ２４、Ｓ２５が、前記一括設定部による前記一括設定後に、ユーザにより前記グループに属するチャンネルの前記第１ゲインを調整する操作が行われたとき、その操作に応じて、各チャンネルの第１ゲインの代わりに前記バスチャンネルの第３ゲインを変更する変更制御処理に相当する。
【００７５】
なお、図７〜図１４のフローチャートにおいて、ＣＰＵ２１がパラメータの値を設定することは、ＣＰＵ２１がメモリ２２に記憶された当該パラメータの値を変更することを含む。
【００７６】
以上、この発明の一実施形態を説明したが、この発明は上記実施形態に限定されるものではなく、特許請求の範囲、及び、明細書と図面に記載された技術的思想の範囲内において種々の変形が可能である。
【００７７】
この発明は、音信号を調整する複数のチャンネルと、調整後の音信号を混合する複数のバスを有するあらゆる音処理装置に適用できる。例えば、音処理装置１０は、レコーダ、アンプ、プロセッサ等に適用できる。また、音処理装置１０は、図１に示す各部１１〜１７の動作を実行するように構成された専用ハードウェア装置（集積回路等）からなっていてもよい。また、音処理装置１０は、図１に示す各部１１〜１７の動作を行なうためのプログラムを実行する機能を持つプロセッサ装置により構成されてよい。
【００７８】
また、本発明は、パーソナルコンピュータ上で実行される、Ｃｕｂａｓｅ（登録商標）、ＰｒｏＴｏｏｌｓ（登録商標）等のＤＡＷ（デジタル・オーディオ・ワークステーション）ソフトウェアアプリケーションや、或いは、ビデオ編集ソフトウェアアプリケーションに適用され得る。
【００７９】
また、この発明は、音信号を混合する第１バスと、音信号を混合する第２バスと、それぞれ１つの音信号を処理する複数のチャンネルを備える音処理装置において、該音処理装置のコントローラが実行するパラメータ設定方法であって、前記チャンネルは、それぞれ、調整パラメータに従って１つの音信号の特性を制御する特性制御部、特性制御後の音信号を第１ゲインに従って前記前記第１バスへ送出する第１乗算器、及び、特性制御後の音信号を第２ゲインに従って前記第２バスに送出する第２乗算器を有しており、ユーザによるグループ化指示に応じて、前記複数のチャンネルの一部からなる１つのグループを定義し、そのグループに属するチャンネルに所定のグループ動作をさせるグループ設定手順と、ユーザによる一括設定指示に応じて、前記グループに属する各チャンネルの前記第２ゲインを、そのチャンネルの第１ゲインと同じ値に設定し、且つ、前記グループに属さない各チャンネルの前記第２ゲインの値をミュート値に設定する一括設定手順とを備える方法の発明として、構成及び実施されてもよい。また、前記方法を構成する各ステップを、コンピュータに実行させるプログラムの発明として、構成及び実施されてもよい。前記ステップＳ１、Ｓ２がグループ設定手順、前記ステップＳ１３、Ｓ１４が一括設定手順に相当する。
【符号の説明】
【００８０】
１０  音処理装置、１１  第１バス、１２  第２バス、１３  チャンネル、１４  第１ゲイン、１５  第２ゲイン、１６  グループ設定処理、１７  一括設定処理、２０  ミキサ、２１  ＣＰＵ、２２  メモリ、２３  ディスプレイ、２４  操作子群、２５  波形Ｉ／Ｏ、２６  信号処理部
【図１】
2018117245.tif 000003
【図２】
2018117245.tif 000004
【図３】
2018117245.tif 000005
【図４】
2018117245.tif 000006
【図５】
2018117245.tif 000007
【図６】
2018117245.tif 000008
【図７】
2018117245.tif 000009
【図８】
2018117245.tif 000010
【図９】
2018117245.tif 000011
【図１０】
2018117245.tif 000012
【図１１】
2018117245.tif 000013
【図１２】
2018117245.tif 000014
【図１３】
2018117245.tif 000015
【図１４】
2018117245.tif 000016
【図１５】
2018117245.tif 000017